(57)【要約】【課題】  居室親機の同一の端子に待受時の消費電流の異なる機器を接続可能としたインターホン装置を提供する。【解決手段】  居室親機２は、玄関子機１或いはセンサカメラ３を接続できる第２の端子２ｂを有し、この第２の端子２ｂに待受電流を供給する子機待受電流供給回路１７、及び子機待受電流供給回路１７より大きな待受電流を供給するセンサカメラ待受電流供給回路１８、その一方を選択する選択スイッチ１９ａ，１９ｂ、第２の端子２ｂの電圧を検出する電圧検出回路２０を有し、親機ＣＰＵ２１は、子機待受電流供給回路１７を選択している状態でセンサカメラ３が接続されたら、電圧検出回路２０の検出電圧の変化から誤接続と判断して誤接続情報を記憶すると共に発報動作する。【選択図】  図２
2006222784.tif 000002
【特許請求の範囲】
【請求項１】
来訪者が居住者を呼び出すための玄関子機と、前記玄関子機からの呼び出しに応答するための居室親機とを有するインターホン装置において、
前記居室親機は、前記玄関子機を接続する第１の端子と、別途設置する玄関子機や人物を検知したら撮像を開始するセンサカメラ等の機器を接続可能な第２の端子と、前記第２の端子に接続された機器に待受電流を供給するための複数の待受電流供給回路と、前記待受電流供給回路を接続機器に合わせて選択する選択スイッチとを有することを特徴とするインターホン装置。
【請求項２】
前記第２の端子に接続する機器が、玄関子機、或いは前記玄関子機よりも待受電流が大きく設定された機器であって、前記待受電流供給回路は双方の機器に合わせて２つ備えられ、前記居室親機は、前記第２の端子の端子電圧を検出する電圧検出回路と、検出した電圧値により前記第２の端子に接続した機器の動作状態を判断する判断制御手段とを有し、
前記判断制御手段は、前記選択スイッチが玄関子機に対応した一方の待受電流供給回路を選択している状態で前記機器が接続されたら、前記電圧検出回路の電圧情報から誤接続されたことを検知し、前記居室親機を発報動作させることを特徴とする請求項１記載のインターホン装置。
【請求項３】
前記選択スイッチが、電子信号で切換可能な電子スイッチであって、
前記判断制御手段は、前記電圧検出回路の電圧情報から前記第２の端子に接続した機器が誤接続されたことを検知したら誤接続情報を記憶し、誤接続状態で前記居室親機が電源の再投入を受けたら、前記記憶した誤接続情報に基づいて、機器に対応した他方の待受電流供給回路に前記選択スイッチを切り替えることを特徴とする請求項２記載のインターホン装置。
【発明の詳細な説明】
【技術分野】
【０００１】
本発明はインターホン装置に関し、特に同一端子に玄関子機、センサカメラ等の機器を接続可能とした居室親機を備えたインターホン装置に関する。
【背景技術】
【０００２】
インターホン装置は、居室親機に少なくとも１台の玄関子機が接続されて構成されるが、玄関子機を複数接続したり、玄関子機に加えて不審者等の人物の接近に反応して撮影を開始するセンサカメラを接続して、利便性や防犯性を高めたものが普及している。
このようなインターホン装置に使用される居室親機は、接続機器の種類や特性に対応できるよう多数の端子が必要となる。そのため、端子を構成する部品数が多くなっていたし、端子設置部を広くしなければならなかった。
そのため、機能を損なわずに端子数の削減を図ったものに例えば特許文献１に記載された構成のものがある。これは、居室親機の同一端子に、カメラ付き玄関子機とカメラ無し玄関子機の双方を接続可能としている。
【特許文献１】特許第３４４０６４９号公報
【発明の開示】
【発明が解決しようとする課題】
【０００３】
しかしながら、上記特許文献１に開示されている従来のインターホン装置は、例えばカメラ有りとカメラ無しを区別するために接続する玄関子機の待受電圧（待機電圧）に差が生じるように機器を構成し、その電圧を検出することで接続機器を判断している。そのため、誤動作を防止するために一方の機器の待受電圧と他方の機器の動作電圧が重複しないように構成する必要があった。
そこで、本発明はこのような問題点に鑑み、居室親機の同一の端子に待受時の消費電流の異なる機器であって、一方の機器の待受電圧と他方の機器の動作電圧が重複していても機器を正常に動作させることを可能としたインターホン装置を提供することを目的とする。
【課題を解決するための手段】
【０００４】
上記課題を解決する為に、請求項１に記載の発明は、来訪者が居住者を呼び出すための玄関子機と、玄関子機からの呼び出しに応答するための居室親機とを有するインターホン装置において、居室親機は、玄関子機を接続する第１の端子と、別途設置する玄関子機や人物を検知したら撮像を開始するセンサカメラ等の機器を接続可能な第２の端子と、第２の端子に接続された機器に待受電流を供給するための複数の待受電流供給回路と、待受電流供給回路を接続機器に合わせて選択する選択スイッチとを有することを特徴とする。
この構成により、待受時の消費電流が異なる機器を同一の端子を使用して接続することが可能となり、端子数を減らすことができる。
【０００５】
請求項２の発明は、請求項１に記載の発明において、第２の端子に接続する機器が、玄関子機、或いは玄関子機よりも待受電流が大きく設定された機器であって、待受電流供給回路は双方の機器に合わせて２つ備えられ、居室親機は、第２の端子の端子電圧を検出する電圧検出回路と、検出した電圧値により第２の端子に接続した機器の動作状態を判断する判断制御手段とを有し、判断制御手段は、選択スイッチが玄関子機に対応した一方の待受電流供給回路を選択している状態で機器が接続されたら、電圧検出回路の電圧情報から誤接続されたことを検知し、居室親機を発報動作させることを特徴とする。
この構成により、誤接続したらそれを報知するので、誤接続であることを速やかに認識できる。
【０００６】
請求項３の発明は、請求項２に記載の発明において、選択スイッチが、電子信号で切換可能な電子スイッチであって、判断制御手段は、電圧検出回路の電圧情報から第２の端子に接続した機器が誤接続されたことを検知したら誤接続情報を記憶し、誤接続状態で居室親機が電源の再投入を受けたら、記憶した誤接続情報に基づいて、機器に対応した他方の待受電流供給回路に選択スイッチを切り替えることを特徴とする。
この構成により、電源を再投入する簡単な操作で正しい接続状態に設定されるので、再設定操作をする必要がない。
【発明の効果】
【０００７】
本発明によれば、待受時の消費電流が異なる機器を同一の端子を使用して接続でき、端子数を減らすことができる。また、電源を再投入する簡単な操作で正しい接続状態に設定できるので、面倒な再設定操作が必要ない。
【発明を実施するための最良の形態】
【０００８】
以下、本発明を具体化した実施の形態を、図面に基づいて詳細に説明する。図１は本発明に係るインターホン装置の一例を示す構成図であり、１（１ａ，１ｂ）は玄関子機（第１玄関子機１ａ，第２玄関子機１ｂ）、２は居室親機を示し、玄関子機１は来訪者を撮像するカメラ５を備え、居室親機２はカメラ５の撮像映像を出画するモニタ６を備えている。
尚、第１玄関子機１ａは居室親機２の第１の端子２ａに接続され、第２玄関子機１ｂは第２の端子２ｂに接続され、３は第２玄関子機１ｂに替えて居室親機２に接続可能なセンサカメラを示している。
【０００９】
居室親機３は図２に示すような回路構成であり、１１は伝送されてきた映像信号を復調する映像復調回路、１２はモニタ画面上に設置されたタッチパネル、１３はタッチパネル１２を制御するタッチパネルコントローラ、１４はマイク、１５はスピーカ、１６はマイク１４及びスピーカ１５を制御する通話回路、１７は第２の端子２ｂに第２玄関子機１ｂが接続された場合に待受電流を供給する子機待受電流供給回路、１８は第２の端子２ｂにセンサカメラ４が接続された場合に待受電流を供給するセンサカメラ待受電流供給回路、１９ａは第２の端子２ｂに接続する機器を玄関子機に設定するための選択スイッチとしての子機設定スイッチ、１９ｂは第２の端子２ｂに接続する機器をセンサカメラ３に設定するための選択スイッチとしてのセンサカメラ設定スイッチ、２０は第２の端子２ｂの端子電圧を監視する電圧検出回路、２１は居室親機２の各回路を制御する親機ＣＰＵ、２２は親機インターフェイス（親機ＩＦ）、２３は接続機器に動作電源を供給するための動作電源供給回路である。
【００１０】
但し、子機待受電流供給回路１７とセンサカメラ待受電流供給回路１８は玄関子機１とセンサカメラ３の特性に合わせて異なる待受電流を供給するよう構成され、センサカメラ待受電流供給回路１８は、子機待受電流供給回路１７より大きな電流を供給するよう構成されている。具体的な供給電流量は、接続する玄関子機１、センサカメラ３に合わせて設定されている。
【００１１】
尚、玄関子機１とセンサカメラ３の待受電流が異なるのは、玄関子機１が待受状態の時には、通電表示灯（図示せず）を点灯させる電流が供給されるだけであるが、センサカメラ３の場合は、通電表示灯に加えて人物を検知するためのセンサ（図示せず）を駆動する電流が必要であるためで、通常このようにセンサカメラ３の待受電流の方が玄関子機より大きく設定される。
また、居室親機２は商用電源に接続された図示しない電源回路を有し、この電源回路により居室親機２の各回路に電源が供給されている。また、玄関子機１については、カメラ付き玄関子機としているが、待受時においてカメラ５は動作しないので消費電流はカメラ無し玄関子機に等しい。そのため、カメラ無し玄関子機の接続も容易に対応できる。
【００１２】
次に、上記構成のインターホン装置の動作を説明する。但し、インターホン装置の基本動作である、第１玄関子機１ａから呼出操作、居室親機２の応答動作は本発明の要旨ではないので省略し、第２の端子２ｂの作用を中心に説明する。
居室親機２の第２の端子２ｂに接続される機器は、選択スイッチ１９ａ，１９ｂにより選択して設定される。選択スイッチ１９ａ，１９ｂは、電子スイッチで構成され、連動するよう構成されている。この選択スイッチ１９ａ，１９ｂは、親機ＣＰＵ２１の制御で操作され、タッチパネル１２のタッチ操作で子機設定スイッチ１９ａかセンサカメラ設定スイッチ１９ｂを選択することで設定される。
【００１３】
親機ＣＰＵ２１は、電源投入時は子機設定スイッチ１９ａをオンさせるようにプログラム設定され、玄関子機１が接続可能な状態となっている。この状態において、第２玄関子機１ｂが接続されると、居室親機２の子機待受電流供給回路１７から待受電流が供給され、第２玄関子機１ｂは通電表示灯を点灯する。また、電圧検出回路２０は正常な端子電圧を検出し、装置は良好に動作する（図１の状態）。
【００１４】
この状態で、来訪者が接続された第２玄関子機１ｂから呼出操作をすると、待受状態から起動状態に移行し、通電電流が増加して第２の端子２ｂの電圧が降下する。電圧検出回路２０は、この電圧降下を検出して電圧が降下したことを親機ＣＰＵ２１に通知する。親機ＣＰＵ２１は、この電圧降下信号により第２玄関子機１ｂから呼び出しが成されたことを検出し、スピーカ１５から呼出音を報音すると共に第２玄関子機１ｂに対して動作電源供給回路２３から動作電源を供給する。
【００１５】
第２玄関子機１ｂは、居室親機２からの電源供給を受けてカメラ５を駆動させて撮像を開始し、撮像映像を居室親機２へ送信する。居室親機２では、受信した映像を映像復調回路１１で復調してモニタ６に出画する。この出画された映像を見ながら居住者がハンドセットを取る等の通話操作をすれば、第２玄関子機１ｂと居室親機２の間で通話が可能となる。
【００１６】
第２の端子２ｂに接続される機器がセンサカメラ３の場合は、次のように操作及び動作する。まず、タッチパネル１２の所定の操作により、センサカメラ設定スイッチ１９ｂをオン操作する（この操作で、子機設定スイッチ１９ａはオフとなる）。この状態においてセンサカメラ３を接続すると、待受時の電流が居室親機２のセンサカメラ待受電流供給回路１８から供給され、センサカメラ３は通電表示灯を点灯させると共に、内部のセンサが監視状態となり人物を検出できる状態となる。そして、電圧検出回路２０は正常な端子電圧を検出し、装置は良好に動作する。
【００１７】
そして、侵入者がセンサカメラ３の検出範囲に入ると、センサが人物を検知して待受状態から起動状態に移行し、通電電流が増加して第２の端子２ｂの電圧が降下する。この電圧降下を電圧検出回路２０が検出し、電圧が変化したことを親機ＣＰＵ２１に通知する。親機ＣＰＵ２１は、この電圧情報によりセンサカメラ３が人物を検知したことを認識し、スピーカ１５から報知音を出力すると共に、センサカメラ３に対して動作電源供給回路２３からセンサカメラ３の動作電源を供給する。
センサカメラ３は、居室親機２からの電源供給を受けてカメラを駆動させ、その撮像映像を居室親機２に伝送する。居室親機２は、伝送されたた映像を映像復調回路１１で復調し、モニタ６に出画する。この出画された映像を確認することで、居住者は威嚇操作等を行うことが可能となる。
このように、待受時の消費電流が異なる機器であっても同一の端子に接続できるので、居室親機の端子数を減らすことができる。
【００１８】
次に、居室親機２の第２の端子２ｂの設定が玄関子機の状態でありながら、センサカメラ３を接続してしまった場合の動作を説明する。
子機設定スイッチ１９ａがオンの状態でセンサカメラ３が接続されると、子機待受電流供給回路１７から待受電流が供給されることになる。この場合、上述するようにセンサカメラ３は待受時の消費電流が玄関子機１のそれよりも大きいため、センサカメラ３を接続しただけで、玄関子機１を呼出操作した起動状態のごとく電流が流れ、第２の端子２ｂの電圧が低下する。
【００１９】
その結果、電圧検出回路２０が電圧の低下を検出して親機ＣＰＵ２１に通知し、親機ＣＰＵ２１は呼び出しが成されたと判断して呼出音を報音させる。但し、この誤接続の場合、センサカメラ３が実際に起動したわけではないので、接続を解除しない限りこの状態が引き続き発生する。そこで、親機ＣＰＵ２１は、この電圧降下状態を所定時間検出し続けると、誤接続と認識して誤接続情報をメモリに記憶する。尚、このとき報じられる呼出音は、結果として誤接続を報知する発報動作となる。
【００２０】
そして、居室親機２の報音を受けて、居住者或いは作業者が誤設定であることを認識し、居室親機２の電源の再投入が行われると、親機ＣＰＵ２１は誤接続情報を基にセンサカメラ設定スイッチ１９ｂをオンさせて、選択スイッチ１９ａ，１９ｂを切り替える制御を実施する。その結果、電源の再投入で正しい設定状態となり、正常動作を確保することができる。
【００２１】
このように、親機ＣＰＵは第２の端子の接続機器の動作状態を判断する判断制御手段として動作して、誤接続したらそれを報知するので、誤接続であることを速やかに認識できる。また、電源を再投入する簡単な操作で正しい接続状態に設定されるので、面倒な再設定操作をする必要がない。
【００２２】
尚、上記実施形態では、第２の端子２ｂに玄関子機１を接続する設定状態でセンサカメラ３を接続した場合の誤接続検知を、呼出動作を利用して簡易な構成で行っているが、誤接続時の電圧変化を呼出電圧とは異なった電圧に変化させて誤接続と呼出動作とを独立に判断させても良い。こうすれば、構成は複雑になるが、呼出音とは別の警報音により誤接続を報知させること可能となる。
また、第２の端子２ｂは１つだけであるが、複数設けることも容易に実施でき、端子数に合わせて待受電流供給回路を設け、選択スイッチ１９ａ，１９ｂもそれに合わせて設置すればよい。
更に、玄関子機１とセンサカメラ３の接続を共用する場合を説明したが、待受電流が異なる玄関子機同士でも対応できるし、待受電流が異なるセンサカメラ同士でも対応できる。また、センサカメラ３は、マイク及びスピーカを内蔵したものであっても、待受電流供給回路の設定電流と接続機器の待受電流値を一致させることにより容易に対応できる。
【図面の簡単な説明】
【００２３】
【図１】本発明に係るインターホン装置の実施形態の一例を示す構成図である。
【図２】図１の居室親機の回路ブロック図である。
【符号の説明】
【００２４】
１（１ａ，１ｂ）・・玄関子機、２・・居室親機、２ａ・・第１の端子、２ｂ・・第２の端子、３・・センサカメラ、１７・・子機待受電流供給回路、１８・・センサカメラ待受電流供給回路、１９ａ・・子機設定スイッチ（選択スイッチ）、１９ｂ・・センサカメラ設定スイッチ（選択スイッチ）、２０・・電圧検出回路、２１・・親機ＣＰＵ（判断制御手段）。
【図１】
2006222784.tif 000003
【図２】
2006222784.tif 000004